(57)【要約】  【課題】  従来の現場接続型の光コネクタは、光ファイバ心線を接続するものであり、光ファイバ心線の外側にケーブルシースを有するドロップ光ケーブルやインドア光ケーブルに適用することができなかった。  【解決手段】  ケーブル把持部が前記接続パーツの他端側の端部に、前記光ファイバの径方向にガタツキを持って固定され、更に、このケーブル把持部の外周を前記スライダの後端がスライド可能に覆うように配置されている。従って、ドロップ光ケーブルやインドア光ケーブルを構成するシースをケーブル把持部がしっかりと把持することができ、更に光ケーブルに加わる外力等によって接続パーツの径方向に加えられる応力が、直接接続パーツに作用することがなく、またその動く範囲もスライダの後端で規制されるので、基板根本部に応力を集中させて接続基板を破壊させることがない効果を有する。  【選択図】  図１
2006323067.tif 000002
【特許請求の範囲】
【請求項１】
一端側に光ファイバを内蔵したフェルールが配置され、他端側に接続しようとする光ファイバを機械的に保持して前記内蔵の光ファイバと接続するメカニカル接続部が配置された接続パーツの外側に、筒状のスライダがスライド可能に配置されて構成されたメカニカル接続型光コネクタにおいて、接続しようとする前記接続しようとする光ファイバの光ファイバケーブルのシースを機械的に把持するケーブル把持部が前記接続パーツの他端側の端部に、前記光ファイバの径方向にガタツキを持って固定され、更に、このケーブル把持部の外周を前記スライダの後端がスライド可能に覆うように構成されたことを特徴とするメカニカル接続型光コネクタ。
【請求項２】
ケーブル把持部はケーブルシースを機械的に把持する把持部材とその把持部材を収納・配置する把持部品収納部とから構成されたことを特徴とする請求項１に記載のメカニカル接続型光コネクタ。
【請求項３】
把持部品収納部の内部空間は把持部材よりも光ファイバの長手方向に対して長く構成され、把持部材を前記内部空間の後方側に押付ける手段によって押し付けて配置されたことを特徴とする請求項請求項２に記載のメカニカル接続型光コネクタ。
【請求項４】
把持部品収納部には把持部蓋が形成されており、この把持部蓋にはこれを閉めた時に内部空間に配置された把持部材を後方側に押付ける突起が形成されていることを特徴とする請求項２に記載のメカニカル接続型光コネクタ。
【請求項５】
把持部蓋には、その端部に回転軸を持って９０度以上開くことができ、更にスリットが形成されてメカニカル接続部の入口部を臨むことができるように構成されていることを特徴とする請求項４に記載のメカニカル接続型光コネクタ。
【請求項６】
一端側に光ファイバを内蔵したフェルールが配置され、他端側に接続しようとする光ファイバを載置する接続基板とその接続基板の上を覆う蓋と、接続基板と蓋とを互いに近づく方向に応力を与える応力付与部材とで構成されたメカニカル接続部が配置された接続パーツの前記メカニカル接続部に前記接続しようとする光ファイバを配置させる光コネクタ組立工具において、接続パーツを収納する空間部が形成されたパーツ収納部と、パーツ収納部に収納・配置された接続パーツの接続基板と蓋との間に前記応力付与部材の応力に抗して差し込まれて基板と蓋との間隔を押し広げるくさびと、接続基板と蓋との間に挿入されたクサビを引き戻すクサビ解除部とを備えたことを特徴とする光コネクタ組立工具。
【請求項７】
クサビ解除部は、クサビの両側面に対向するように配置されたテーパ部の形成された摘みを互いに近づけることにより、テーパ部が前記クサビを引き戻す方向に移動させることを特徴とする請求項５に記載の光コネクタ組立工具。
【請求項８】
クサビは回転軸が形成されて配置されたことを特徴とする請求項６又は請求項６に記載の光コネクタ組立工具。
【請求項９】
クサビ解除部は互いの摘みを所定値以下に近づけないための制限機構を備えていることを特徴とする請求項６又は請求項７に記載の光コネクタ組立工具。
【請求項１０】
クサビ解除部は、摘みの周辺に、摘みを操作し難くする誤押防止壁が形成されていることを特徴とする請求項６乃至請求項８のいずれか１に記載の光コネクタ組立工具。
【発明の詳細な説明】
【技術分野】
【０００１】
本発明は、メカニカル接続型光コネクタ及び光コネクタ組立工具に関するものである。
【背景技術】
【０００２】
近年、ＦＴＴＨ(Fiber To The Home)等の普及によって光通信網が一般家庭などで多数用いられるに伴い、接続現場で無電源、無研磨によって光コネクタを組み立て、光ファイバを接続するメカニカル接続型光コネクタが用いられるようになってきた。（例えば、特許文献１〜５参照）
【０００３】
図１８〜図２１はこの種のメカニカル接続型光コネクタの一例を示したものである。
このメカニカル接続型光コネクタは、図１８に示すように、前部１１に鍔部１２を有し表面１３に光ファイバの端部を搭載する溝１４の形成された接続基板１０と、この溝１４を覆う蓋２０と、蓋２０と接続基板１０とを囲み蓋２０と接続基板１０との合わせ面を互いに押し合うように応力を与える押圧部材３０と、内部に内蔵光ファイバ４１が埋設され一端４２が鍔部１２内に固定されその一端４２から前記内蔵光ファイバ４１が露出して前記溝１４の上に搭載され他端４３に前記内蔵光ファイバ４１の端面が配置されたフェルール４０とで構成された接続パーツ５０と、図１９に示すように、押圧部材３０を覆い押圧部材３０とスライド可能なストップリング６０と、ストップリング６０の内側に配置されて接続パーツ５０を所定の力で前方に押圧するスプリング７０と、鍔部１２を覆うプラグフレーム８０と、その外側に配置されプラグフレーム８０とスライド可能に構成されたスライダ９０（図２０〜２１参照）とで構成されている。
【０００４】
メカニカル接続部は、上記溝１４部分を有する接続基板１０と蓋２０と押圧部材３０とで構成される。
【０００５】
接続基板１０の表面１３上に形成された溝１４は、図１８に示すように、接続しようとする光ファイバ心線（コード）の裸光ファイバを載せる小径溝１４'と、裸光ファイバの上に補強被覆の施された光ファイバ心線（コード）部分を載せる大径溝１４''とが形成されている。
蓋２０は前記小径溝１４'上を覆う小径溝用蓋２０'と大径溝１４''上を覆う大径溝用蓋２０''とで構成されている。しかしながら、蓋２０はこれらを別々構成したものでなく、両者を一体にした構成のものも用いられている。
【０００６】
押圧部材３０は、ステンレス材のように鋼性を有する板状のものが断面Ｃの字型やコの字型に加工され、側面の一部に開口部３１が形成された構造となっている。
押圧部材３０の開口部３１には、蓋２０を溝１４上に被せた時に、それらの合わせ面を臨むことができるように取付けられる。更に、前記合わせ面の蓋２０と接続基板１０の側面には、それぞれ図１９に示すように、くさび１００の差込部１０１を差し込みし易い様に切欠部１５、２１が形成されている。
【０００７】
フェルール４０は、内部に内蔵光ファイバ４１が配置され、且つ接続基板１０の鍔部１２部分に予め工場などでその一端４２が埋め込まれて配置され、フェルール４０から露出した内蔵光ファイバ４１が接続基板１０の溝１４上に載置されている。またフェルール４０の他端はその端面と一致するように予め工場などで内蔵光ファイバ４１の端面がフェルール４０の端面とともに鏡面研磨されている。
【０００８】
ストップリング６０は、組み立てたときに、前記押圧部材３０の開口部３１をストップリングの側面から臨むことができるように、側面に開口６１が形成されている。
【０００９】
このような光コネクタは、予め、蓋２０を溝１４の上に被せて、押圧部材３０の締付力で蓋２０と接続基板１０との両者を所定の力で押し付けた状態の接続パーツ５０を完成させ、スプリング７０を接続パーツ５０の後端側の小径部分に配置させ、プラグフレーム８０を接続パーツ５０上に被せ、ストップリング６０をプラグフレーム８０内に嵌め込まれて構成される。
【００１０】
これによりストップリング６０は、図２０に示すように、ストップリング６０の外周に形成された係合突起６２がプラグフレーム８０の外周部に形成された係合貫通孔８１に嵌め込まれ、内部に接続パーツ５０を内包した状態でプラグフレーム８０と一体構造になったものが構成される。この際、ストップリング６０の外周に形成された開口６１は、押圧部材３０の開口部３１及び接続基板１０と蓋２０との合わせ面に形成された切欠部１５・２１とが一致するように組み立てられる。またスプリング７０は圧縮状態でストップリング６０内に配置され、接続パーツ５０を前方（フェルール４０側）に押し付けている。
【００１１】
このような光コネクタを用いて接続現場で光ファイバ心線（コード）を接続するには、光ファイバ心線（コード）の端部の樹脂被覆層を剥ぎ取って裸光ファイバを露出させた後、光ファイバ切断器により、端面を鏡面端面に形成した一定長の裸光ファイバを露出させる。
【００１２】
次に、前記により予め組み立てられたストップリングの開口６１及び押圧部材３０の開口部３１を通じてくさび１００の差込部１０１を、切欠部１５・２１に押圧部材３０の押圧力に逆らって差し込む。これにより、接続基板１０と蓋２０との間隔が一定長広げられ、接続基板１０と蓋２０との合わせ面で形成される空間が広げられる。
【００１３】
この状態でストップリング６０の後端側から裸光ファイバが一定長露出された光ファイバ心線（コード）を溝１４に沿って差し込み、裸光ファイバを小径溝１４'に、樹脂被覆層を大径溝１４''上に配置させると共に、小径溝１４'上で裸光ファイバの端面と内蔵光ファイバ４１の端面と接触させ、更にこの状態でくさび１００を切欠部１５・２１から抜き去る。
この際、裸光ファイバの端面あるいは内蔵光ファイバ４１の接触端面には無色透明・グリス状の屈折率整合剤が予め配置されており、両光ファイバの端面が互いに接触したときに光の反射を低減するようにして光学的接続が成される。これにより、溝１４上に載置された光ファイバ心線（コード）は、蓋２０によって大径溝１４''上に押し付けられて固定・保持されるとともに、裸光ファイバと内蔵光ファイバ４１とは小径溝１４'上で光学的に接続される。
次に、スライダ９０をプラグフレーム８０側から被せ、内蔵光ファイバ４１と光ファイバ心線（コード）とを光学的に接続させた光コネクタが完成する。（図２０・図２１参照）
【００１４】
このように構成された光コネクタは、フェルール４０が、図２０に示すように、接続アダプタ１１０の一端１１１から割スリーブ１１２内に挿入され、接続アダプタ１１０の他端１１３側から割スリーブ１１２内に挿入された他方の光コネクタ又は他端側に配置されたその他の光学部品と光接続が成される。この際、接続アダプタ１１０内に形成された係合突起１１４がプラグフレーム８０の外周に形成された係合凹部８２に嵌め込まれ、光コネクタが接続アダプタ１１０から抜けるのを防止される。また、この嵌め込みの係合はスライダ９０を接続アダプタ１１０から離れる方向に引くことによって解除し、光コネクタを接続アダプタ１１０から引き抜くことができるようになっている。
【００１５】
【特許文献１】特開平１０−２０６６８８号公報
【特許文献２】特開平１１−１４２６８６号公報
【特許文献３】特開平１１−１４２６８７号公報
【特許文献４】特開平１１−１６０５６３号公報
【特許文献５】特開２０００−３４７０６８号公報
【発明の開示】
【発明が解決しようとする課題】
【００１６】
上記現場接続型の光コネクタは裸光ファイバの径が0.125mmφや0.9mmφの光ファイバ心線を接続するものであり、その外側にケーブルシースを有するドロップ光ケーブルやインドア光ケーブルに適用することができなかった。即ち、これらの光ケーブルはシース外径が2mm×3mm程度であり、前記メカニカル接続部によってはシース部分を把持することができない。そこで、図１７に示すように、光ケーブル１２０のシース１２４を機械的に把持するケーブル把持部１３０を接続パーツ５０の後端部５０'に接着剤等で固定することにより取り付けることが考えられる。
【００１７】
しかし、この場合、光ケーブル１２０等を介して接続パーツ５０の径方向に加えられる曲げ応力Ｓが、フェルール４０に直接作用してフェルール４０を動かし、他の光コネクタ又はアダプタとの光接続損失を悪化させたり、更に最悪の場合には、鍔部１２近辺の基板根本部Ｐに応力が集中し、その部分で接続基板１０が破壊するなど欠点があった。
【００１８】
また、従来、このような光コネクタを組み立てる組立工具は、図１９に示すように、差込部１０１を持つくさび１００が存在するものの、差込部１０１を狭い切欠部１５、２１に適切に嵌め込まなければならず操作が面倒であり、また、差込部１０１を切欠部１５・２１から引き抜く場合は押圧部材３０によって締め付けられた部分から大きな力で引き抜かなければならず、その操作時にメカニカル接続部に嵌め込まれた裸光ファイバが動き内蔵光ファイバ４１との接続損失が増してしまうなどの課題があった。
【課題を解決するための手段】
【００１９】
本発明は、かかる点に鑑みなされたもので、その第一の発明は、一端側に光ファイバを内蔵したフェルールが配置され、他端側に接続しようとする光ファイバを機械的に保持して前記内蔵の光ファイバと接続するメカニカル接続部が配置された接続パーツの外側に、筒状のスライダがスライド可能に配置されて構成されたメカニカル接続型光コネクタにおいて、接続しようとする光ファイバの光ファイバケーブルのシースを機械的に把持するケーブル把持部が前記接続パーツの他端側の端部に、前記光ファイバの径方向にガタツキを持って固定され、更に、このケーブル把持部の外周を前記スライダの後端がスライド可能に覆うように構成されたことを特徴とする。
【００２０】
また、第二の発明は、一端側に光ファイバを内蔵したフェルールが配置され、他端側に接続しようとする光ファイバを載置する接続基板とその接続基板の上を覆う蓋と、接続基板と蓋とを互いに近づく方向に応力を与える応力付与部材とで構成されたメカニカル接続部が配置された接続パーツの前記メカニカル接続部に前記接続しようとする光ファイバを配置させる光コネクタ組立工具において、接続パーツを収納する空間部が形成されたパーツ収納部と、パーツ収納部に収納・配置された接続パーツの接続基板と蓋との間に前記応力付与部材の応力に抗して差し込まれて基板と蓋との間隔を押し広げるくさびと、接続基板と蓋との間に挿入されたクサビを引き戻すクサビ解除部とを備えたことを特徴とする。
【発明の効果】
【００２１】
第一の発明は、ケーブル把持部が前記接続パーツの他端側の端部に、前記光ファイバの径方向にガタツキを持って固定、更に、このケーブル把持部の外周を前記スライダの後端がスライド可能に覆うように構成されている。従って、光ケーブルに加えられた外力等によって接続パーツの径方向に加えられた応力Ｓは直接接続パーツに作用することがなく、またその動く範囲もスライダの後端で規制されるので、鍔部１２近辺の基板根本部Ｐに応力が集中させて接続基板１０を破壊させることがない。
【００２２】
また、第二の発明は、接続パーツを収納する空間部が形成されたパーツ収納部と、パーツ収納部に収納・配置された接続パーツの接続基板と蓋との間に前記応力付与部材の応力に抗して差し込まれて基板と蓋との間隔を押し広げるくさびと、接続基板と蓋との間に挿入されたクサビを引き戻すクサビ解除部とを備えているので、クサビを切欠部１５・２１に正しくガイドすることができてクサビを容易に切欠部１５・２１に差し込むことができ、更に摘みを操作することによって容易にクサビを引き抜くことができ、メカニカル接続部に嵌め込んだ裸光ファイバと内蔵光ファイバとの接続損失を増すことがない接続パーツを用意に提供できる効果を有する。
【発明を実施するための最良の形態】
【００２３】
本発明は、以下の種々の実施形態を採用することができる。
ケーブル把持部は、ケーブルシースを機械的に把持する把持部材とその把持部材を収納・配置する把持部品収納部とから構成されたことを特徴とする。
【００２４】
把持部品収納部の内部空間は、把持部材よりも光ファイバの長手方向に対して長く構成され、把持部材を前記内部空間の後方側に押付ける手段によって押し付けて配置されたことを特徴とする。
【００２５】
把持部品収納部には把持部蓋が形成されており、この把持部蓋にはこれを閉めた時に内部空間に配置された把持部材を後方側に押付ける突起が形成されていることを特徴とする。
【００２６】
把持部蓋には、その端部に回転軸を持って９０度以上開くことができ、更にスリットが形成されてメカニカル接続部の入口部を臨むことができるように構成されていることを特徴とする。
【００２７】
クサビ解除部は、クサビの両側に配置されたテーパ部が形成された一対の摘みを互いに近づけることにより、テーパ部が前記クサビを引き戻す方向に移動させることを特徴とする。
【００２８】
クサビは、回転軸が形成されて配置されたことを特徴とする。
【００２９】
クサビ解除部は、互いの摘みを所定値以下に近づけないための制限機構を備えていることを特徴とする。
【００３０】
クサビ解除部は、摘みの周辺に、摘みを操作し難くする誤押防止壁が形成されていることを特徴とする。
【実施例１】
【００３１】
以下本発明を図示した実施例によって説明する。図１〜図３は本発明の光コネクタの一実施例を図示したものである。図１〜図３において、図１８〜図２１と同一符号のものは、それぞれ下記を除き図１７〜図２１の場合と同一物を示し、またその機能も同一なので、その説明を省略する。
【００３２】
図１〜図３において、１２０は光ファイバケーブル、１３０はケーブル把持部である。
接続基板１０の後端１０ａと蓋２０''の後端２０''ａには、係合凹部１０ｂ、２０''ｂとが形成されている。
【００３３】
光ケーブル１２０は、ドロップ光ケーブルやインドア光ケーブル等であり、裸光ファイバ１２１の上に樹脂被覆層１２２が被覆されて光ファイバ心線１２３が形成され、その上にシース１２４が被覆されて、外径が2mm×3mmの断面形状となる様に形成されている。
【００３４】
ケーブル把持部１３０は光ケーブル１２０の端部のシース１２４を剥ぎ取って光ファイバ心線１２３を露出させたシース１２４の端部を覆うように配置されたもので、機械的応力に耐えるように光ケーブル１２０に一体的に取り付けられている。更に、ケーブル把持部１３０の前部１３０ａには中心方向に向う係合突起１３０ｂが形成され、この係合突起１３０ｂが前記係合凹部１０ｂ、２０''ｂに嵌め込まれ、接続パーツ５０とガタツキを持って機械的に連結して結合されている。
【００３５】
スライダ９０は、その後端部の内径がケーブル把持部１３０の外径よりも僅かに大きく構成され、スライダ９０の後端部がケーブル把持部１３０をスライド可能に覆っている。
【００３６】
このように構成された光コネクタは、光コネクタ近傍で光ケーブルに径方向の力が加わっても、その力が上記ガタツキによって直接接続パーツに作用することがなく、またその動く範囲もスライダの後端で規制されるので、鍔部１２近辺の基板根本部に応力を集中させて接続基板１０を破壊させることがない。
【実施例２】
【００３７】
図４〜図１１は、本発明に係わる光コネクタの他の実施例を示すものである。本実施例は、上記実施例に比較して、ケーブル把持部１３０が光ケーブル１２０のシース１２４を機械的に把持する把持部材１３１とその把持部材１３１を収納・配置する把持部品収納部１３６とから構成されている点が大きく異なっている。
【００３８】
把持部材１３１は、図７に示すように、一端から他端に渡って凹状又はＵ状等の溝１３２が形成され、その溝の側壁に係合突起１３２'が形成され、把持しようとする光ケーブル１２０のシース１２４に食い込み、光ケーブル１２０をその長手方向に動かさないようになっている。
【００３９】
把持部品収納部１３６は、前記把持部材１３１を収納する収納室１３７を有し、その収納室１３７には蓋１３８が回転軸１３９を中心にして回動し、収納室１３７の上部を閉じたり開いたりできるようになっている。また、この把持部品収納部１３６の前部１３６ａには接続パーツ５０の後部に形成された係合凹部１０ｂ、２０''ｂに係合する係合突起１３６ｂが形成されており、この係合突起１３６ｂが前記係合凹部１０ｂ、２０''ｂに嵌め込まれ、接続パーツ５０とガタツキを持って機械的に連結して結合されている。
【００４０】
把持部品収納部１３６は更に、前部１３６ａ側にガイド溝１３６Ｃが形成されており、接続しようとする裸光ファイバをメカニカルスプライス部に誘導できるようになっている。
【００４１】
蓋１３８の内側には、収納室１３７上で蓋１３８を閉じた時に、収納室１３７内に配置された把持部材１３１を収納室１３７の後端側に押し付けて保持させるための押込突起１３８'が形成されている。更に蓋１３８の根本中央部にはスリット１３８''が形成されてメカニカル接続部の入口部を臨むことができるようになっている。
【００４２】
以下、本実施例を組立順に更に詳しく説明する。
初め、図７に示すように、接続しようとする光ケーブル１２０の端部から一部のシース１２４、及び光ファイバ心線１２３の一部の樹脂被覆層１２２を剥ぎ取り、裸光ファイバ１２１及び樹脂被覆層１２２を露出させた光ケーブル１２０の端部を形成し、この光ケーブルの端部を把持部材１３１の溝１３２に沿って溝の上から溝１３２内に押し込み、溝１３２内の係合突起１３２'をシース１２４に食い込ませる。これにより把持部材１３１は光ケーブル１２０の長手方向に一体的に固定される。
【００４３】
次に図８に示すように、蓋１３８を開き、前記により端部に把持部材１３１が配置された光ケーブル１２０を、裸光ファイバ１２１を先にして収納室１３７からメカニカル接続部の接続基板１０と蓋２０との間に差し込む。この際、接続基板１０と蓋２０との合せ面は、従来例で説明したように、接続基板１０と蓋２０とにそれぞれ形成された切欠部にくさびが差し込まれて、予め接続基板１０と蓋２０との間隔が広げられ、光ファイバ心線１２３等が接続基板１０と蓋２０との間に挿入できるように構成されている。これにより、裸光ファイバ１２１の端部が接続基板１０上に配置された内蔵光ファイバの端部と突き合わされて配置される。この状態で前記挿入されたクサビを抜き去る。これによって、裸光ファイバ１２１の端部が内蔵光ファイバの端部と突き合わされてメカニカル的に接続される。図９はこの時の状態を示したものである。
【００４４】
次に、図１０に示すように、把持部材１３１を収納室１３７の後部に移動させて蓋１３８を閉じる。蓋１３８を閉じると、蓋１３８に形成された押込突起１３８'が把持部材１３１の前部を後方側に押し付け、把持部材１３１が収納室１３７の後部に押し付けられた状態で収納室１３７内に固定される。このとき、光ファイバ心線１２３は収納室１３７内で若干撓んだ状態で配置される。従って、裸光ファイバ１２１等の長さやシース１２４から露出された樹脂被覆層１２２の長さはこれを達成するように予め定められた長さに調整して切断されている。
【００４５】
次に、図１１に示すように、スライダ９０をフェルール４０側からプラグフレーム８０上に被せて、光コネクタを完成させる。
【００４６】
本実施例の光コネクタは、前記実施例と同様にスライダ９０の後端がケーブル把持部１３１の外周をスライド可能に覆っている。従って、前記実施例と同様に、光コネクタ近傍で光ケーブルに径方向の力が加わっても、その力が上記ガタツキによって直接接続パーツに作用することがなく、またその動く範囲もスライダ９０の後端で規制されるので、鍔部１２近辺の基板根本部に応力を集中させて接続基板１０を破壊させることがない。
【実施例３】
【００４７】
図１２〜図１４は上記本発明の光コネクタを組み立てる際に特に有効な本発明の光コネクタ組立工具１４０の実施例を示すものである。図１２において、光コネクタ組立工具１４０は、工具フレーム１４１と、この工具フレーム１４１の側壁１４２に形成された回転軸１４３を軸にして下方方向に回動するクサビ１５０と、工具フレーム１４１の両側壁１４２に取り付けられたクサビ解除部１６０とで構成されている。
【００４８】
工具フレーム１４１は、一対の側壁１４２のそれぞれが前方（図１２(イ)の左側）上部１４４で連結され、更に後方下部１４５（図１２(ホ)参照）で連結され、更に両側壁１４２間には、組み立てられる光コネクタの接続パーツを収納できるパーツ収納部１４６（図１２(ニ)参照）が形成されている。
【００４９】
クサビ１５０は、前記両側壁１４２の回転軸１４３からそれぞれ延びるアーム１５１が基台１５２で連結され、基台１５２上にＶ字型の刃１５３が２個搭載され、刃１５３が工具フレーム１４１の下方で上側を向くように配置されている。そして前記したように、クサビ１５０は前記回転軸１４３を中心にして回動可能に形成されている。なお、くさび１５０は、図１２（イ）において陰影が施されて示されている。
【００５０】
クサビ解除部１６０は、両側壁１４２の中央部分にそれぞれ形成された切欠き１４７に嵌め込まれるように配置され、その一端１６１が側壁１４２と一体に固定され、他端１６２がフリー状態となっている（図１２ハ参照）。更に、他端１６２側には摘み１６３が互いに対向するように配置され、互いに対向する摘み１６３の内側にはテーパ部１６４が形成されている。そしてクサビ解除部１６０の一端１６１側を構成するアームの弾性変形に逆らって、摘み１６３を互いに近づけるように操作することにより、テーパ部１６４が前記クサビ１５０の基台１５２の内側に接触して押圧し、クサビ１５０を工具フレーム１４１の下方に移動させることができるようになっている。また、他端１６２側の先端には互いに向き合う方向に突出した制限機構１６５が設けられ、摘み１６３を互いに近づけた際に前記制限機構１６５が互いに突き当たって、摘み１６３を一定値以内に近づけないように制限するようになっている。
クサビ解除部１６０の摘み１６３の周辺となる側壁１４２には、摘み１６３を操作し難くする誤押防止壁１４８が形成されていることを特徴とする請求
【００５１】
次に、図１２〜図１４を用いて上記実施例２の光コネクタを組み立てる場合の操作方法を説明する。
初め、図１３に示すように、パーツ収納部１４６（図１４(イ)参照）内に光コネクタの内部部品である接続パーツ５０及びこの接続パーツ５０の後部に一体に取り付けられた把持部品収納部１３６とで構成される把持部品収納部付き接続パーツを嵌め込む。図１３(イ)には把持部品収納部１３６が陰影を施されて示されている。また図１３(ロ)には接続パーツ５０が陰影を施されて示されている。
【００５２】
次に、図１４(ロ)に示す矢印方向（光コネクタ組立工具１４０の下側から上側に向う方向）に、基台１５２を押し込む。これにより、基台１５２に配置された刃１５３は接続パーツ５０の一部を構成するストップリング６０の開口６１及び押圧部材３０の開口部３１を経由して、切欠部１５・２１に押圧部材３０の押圧力に逆らって差し込まれる。これにより、接続基板１０と蓋２０との間隔が一定長広げられ、接続基板１０と蓋２０との合わせ面で形成される空間が広げられる。
【００５３】
次に、図１３に示すように、蓋１３８を開き、把持部材１３１が配置された光ケーブル１２０を、裸光ファイバ１２１を先にして収納室１３７を経由してメカニカル接続部を構成する前記接続基板１０と蓋２０との間に差し込む。これにより裸光ファイバ１２１の先端が内臓光ファイバの先端に接触する。裸光ファイバ１２１の先端と内臓光ファイバの先端とが接触すると、裸光ファイバ１２１はそれ以上内蔵光ファイバ側に進むことができないので、接続パーツ５０の後端側で光ファイバ心線１２３が撓む。これにより裸光ファイバ１２１の先端が内臓光ファイバの先端に接触したことを確認することができる。
【００５４】
裸光ファイバ１２１の先端が内臓光ファイバの先端に接触した後は、図１４(ハ)に示すように、両側壁１４２にそれぞれ配置された摘み１６４を互いに近づけるように操作する。これにより、テーパ部１６５が前記クサビ１５０の基台１５２の内側に接触して押圧し、クサビ１５０を工具フレーム１４１の下方に移動させ、刃１５３が接続基板１０と蓋２０との間から抜き去られる。これによって、接続基板１０と蓋２０との間は押圧部材３０の締め付け力によって狭められ、裸光ファイバ１２１及び光ファイバ心線１２３が接続基板１０と蓋２０との間にメカニカル的に固定・配置される。
【００５５】
次に、把持部材１３１を収納室１３７の後部に移動させて蓋１３８を閉じる。蓋１３８を閉じると、実施例２で説明したように、蓋１３８に形成された押込突起１３８'が把持部材１３１の前部を後方側に押し付け、把持部材１３１が収納室１３７の後部に押し付けられた状態で収納室１３７内に固定される（図１０参照）。
【００５６】
次に、このようにしてメカニカル的に光ファイバケーブルを接続した接続パーツは、光コネクタ組立工具１４０から取り出され、スライダ９０をフェルール４０側からプラグフレーム８０上に被せて、光コネクタが完成する。
【００５７】
本光コネクタ組立工具は、接続パーツ５０を収納する空間部が形成されたパーツ収納部１４６と、パーツ収納部１４６に収納・配置された接続パーツ５０の接続基板１０と蓋２０との間に前記応力付与部材３０の応力に抗して差し込まれて接続基板１０と蓋２０との間隔を押し広げるくさび１５０と、接続基板１０と蓋２０との間に挿入されたクサビ１５０を引き戻すクサビ解除部１６０とを備えているので、クサビ１５０を切欠部１５・２１に正しくガイドすることができてクサビ１５０を容易に切欠部１５・２１に差し込むことができ、更に摘み１６０を操作することによって容易にクサビ１５０を引き抜くことができ、メカニカル接続部に嵌め込んだ裸光ファイバ１２１と内蔵光ファイバとの接続損失を増すことがない接続パーツを容易に提供することができる。
【実施例４】
【００５８】
図１５・図１６は本発明における光コネクタ組立工具の他の実施例を示すものである。本実施例は、図１２に示す実施例３の光コネクタ組立工具の後方下部１４５上に、光ファイバ誘導アダプタ１７０が搭載されている点が特徴である。
本光コネクタ組立工具は、図１７〜図２１に示される従来の接続パーツ５０に対して従来の光ファイバ心線（コード）を組み込み、従来の光コネクタを組み立てる際に用いられるものである。
【００５９】
この光ファイバ誘導アダプタ１７０は、中央部に一端１７１から他端１７２に渡ってガイド溝１７３が形成され、その幅方向の外径寸法が後方下部１４５におけるパーツ収納部１４６の幅よりもやや小さく形成されており、後方下部１４５におけるパーツ収納部１４６に取外し自在に配置されている。
【００６０】
ガイド溝１７３は一端１７１側において、接続パーツ５０のメカニカルスプライス部に接続しようとする裸光ファイバを誘導できるような高さに形成されている。従って、接続しようとする光ファイバ心線（コード）の裸光ファイバをこの誘導溝に沿って移動させることにより、容易に裸光ファイバをメカニカルスプライス部に挿入することができる。
クサビ１５０やクサビ解除部１６０の動作は前記実施例３と同一なのでその説明を省略する。
これにより、接続しようとする光ファイバ心線（コード）を内蔵光ファイバと接続損失を少なくして接続させた接続パーツを提供することができる。
【図面の簡単な説明】
【００６１】
【図１】本発明の一実施例を示す断面説明図。
【図２】図１の一実施例における組立途中の断面説明図。
【図３】図１の一実施例における他の組立途中の断面説明図。
【図４】本発明の他の実施例を示す平面断面説明図。
【図５】図４の実施例における側面断面説明図。
【図６】図４実施例における部品の一部を示す側面図。
【図７】図４の実施例において使用される光ケーブルを説明するためのもので、イは平面図、ロは側面図。
【図８】図４の実施例における組み立て途中を示すもので、イは平面図、ロは側面断面説明図。
【図９】図８と異なる組み立て途中を示す側面断面説明図。
【図１０】図９と更に異なる組み立て途中を示す側面断面説明図。
【図１１】図１０と更に異なる組み立て途中を示す側面断面説明図。
【図１２】本発明の更に異なる他の実施例を示すもので、イは平面図、ロは側面図、ハは他の動作時における側面図、ニは図１２(イ)のＡ−Ａ線における断面図、ホは図１２(イ)のＢ−Ｂ線における断面図。
【図１３】図１２の実施例における組み立て途中を示すもので、イは平面図、ロは側面説明図。
【図１４】イ〜ハはそれぞれ図１２の実施例における異なる動作時における断面説明図。
【図１５】本発明の更に異なる他の実施例を示すもので、イは平面図、ロは平面断面説明図。
【図１６】図１５の実施例における組み立て途中を示すもので、イは平面説明図、ロは側面断面説明図。
【図１７】本発明に至る過程における光コネクタの断面図。
【図１８】一般的な現場接続型光コネクタの要部部品の斜視図。
【図１９】一般的な現場接続型光コネクタの更に異なる要部部品の斜視図。
【図２０】従来の光コネクタの接続形態を示す説明図。
【図２１】従来の一例における課題を説明するための動作説明。
【符号の説明】
【００６２】
１０    接続基板
１０ａ    後端
１０ｂ    係合凹部
１１    前部
１２    鍔部
１３    表面
１４    溝
１４'    小径溝
１４''    大径溝
１５    切欠部
２０    蓋
２０'    小径溝用蓋
２０''    大径溝用蓋
２１    切欠部
３０    押圧部材
３１    開口部
４０    フェルール
４１    内蔵光ファイバ
４２    一端
４５    他端
５０    接続パーツ
５０    後端部
６０    ストップリング
６１    開口
６２    係合突起
７０    スプリング
８０    プラグフレーム
８１    係合貫通孔
８２    係合凹部
９０    スライダ    
１００    くさび
１０１    差込部
１１０    接続アダプタ
１１１    一端
１１２    割スリーブ
１１３    他端
１１３    裸光ファイバ
１１４    係合突起
１２０    光ケーブル
１２１    裸光ファイバ
１２２    樹脂被覆層
１２３    光ファイバ心線
１２４    シース
１３０    ケーブル把持部
１３０ｂ    係合突起
１３０ａ    前部
１３１    把持部材
１３２    係合突起
１３２    溝
１３６    把持部品収納部
１３６ａ    前部
１３６ｂ    係合突起
１３７    収納室
１３８    蓋
１３８'    押込突起
１３９    回転軸
１４０    光コネクタ組立工具
１４１    工具フレーム
１４２    側壁
１４３    回転軸
１４４    上部
１４５    後方下部
１４６    パーツ収納部
１４７    切欠き
１４８    誤押防止壁
１５０    クサビ
１５１    アーム
１５２    基台
１５３    刃
１６０    クサビ解除部
１６１    一端
１６２    他端
１６３    摘み
１６４    テーパ部
１７０    光ファイバ誘導アダプタ
Ｐ    基板根本部
Ｓ    応力
【図１】
2006323067.tif 000003
【図２】
2006323067.tif 000004
【図３】
2006323067.tif 000005
【図４】
2006323067.tif 000006
【図５】
2006323067.tif 000007
【図６】
2006323067.tif 000008
【図７】
2006323067.tif 000009
【図８】
2006323067.tif 000010
【図９】
2006323067.tif 000011
【図１０】
2006323067.tif 000012
【図１１】
2006323067.tif 000013
【図１２】
2006323067.tif 000014
【図１３】
2006323067.tif 000015
【図１４】
2006323067.tif 000016
【図１５】
2006323067.tif 000017
【図１６】
2006323067.tif 000018
【図１７】
2006323067.tif 000019
【図１８】
2006323067.tif 000020
【図１９】
2006323067.tif 000021
【図２０】
2006323067.tif 000022
【図２１】
2006323067.tif 000023